(57)【特許請求の範囲】
【請求項１】
通信関係に必要とされる特徴を決定する方法であって、
入力装置（ＩＮ）が、通信関係の分類に必要な入力変数（ＩＮＰＵＴ）として一次特徴を決定するステップと、
前記入力装置が前記一次特徴を分類装置（ＳＯＲＴ）に送るステップと、
前記分類装置が前記一次特徴を特徴グループに分類するステップであって、前記一次特徴内の、前記分類装置が前記通信関係に加わる少なくとも２つの通信相手に関係する特徴を第１の特徴グループ（ＩＮＫＰ）に分類し、前記一次特徴内の、前記分類装置が前記通信関係のフレームワークで送信される少なくとも１つのデータの種類に関係する特徴を第２の特徴グループ（ＩＮＤＴ）に分類し、前記一次特徴内の、前記分類装置が前記通信関係の１つの考えられる接続の種類に関係する特徴を第３の特徴グループ（ＩＮＣＴ）に分類するステップと、
前記分類装置が、前記第１、第２、および第３の特徴グループの形の前記一次特徴を処理装置（ＭＡＴ）に送るステップと、
前記処理装置が、前記第１、第２、および第３の特徴グループの形の前記一次特徴を決定マトリックスに入力するステップと、
前記処理装置が、このマトリックスからの出力変数（ＯＵＴＰＵＴ）として、二次特徴である通信関係に必要な特徴を決定するステップとを含む方法。
【請求項２】
前記入力装置（ＩＮ）が、選択するために、前記第１、第２、および第３の特徴グループの形ですでに事前分類された入力変数（ＩＮＰＵＴ）として前記一次特徴を与えることを特徴とする請求項１に記載の方法。
【請求項３】
入力装置（ＩＮ）が、前記３つの特徴グループの各々から少なくとも１つの特徴が入力変数として決定されているかどうかを検査することを特徴とする請求項１に記載の方法。
【請求項４】
利用できる技術的資源の特徴が一次特徴として使用されることを特徴とする請求項１に記載の方法。
【請求項５】
前記二次特徴の決定の後で、前記処理装置で決定される前記二次特徴が、電気通信設備によって、そのような電気通信設備から始まる通信関係を設定するために利用されることを特徴とする請求項１に記載の方法。
【請求項６】
前記方法が、前記特徴グループの特定の現在応用可能な特徴が前記通信関係に加わる少なくとも２つの通信相手の間で交換され、次いで前記通信関係に必要な特徴が決定され、さらに、前記通信関係がこれらの必要な特徴に従って変更される、既存の通信関係の最適化のための出発点として応用されることを特徴とする請求項１に記載の方法。
【請求項７】
たとえ前記通信関係を形成する命令が通信相手設備に出されていなくとも、考えられる通信関係の準備のために、そのような通信関係の分類に必要な前記一次特徴が、前記通信関係に加わる前記通信相手の設備の間で交換されることを特徴とする請求項１に記載の方法。
【請求項８】
通信関係に必要な特徴を決定することができ、かつ、入力装置（ＩＮＴＥＲ）で通信関係の分類に必要な一次特徴を入力することができる端末（ＴＥＲ）であって、
前記端末が、構成され共に結合される分類装置（ＣＰＵ、ＭＥＭ）と処理装置（ＣＰＵ、ＭＥＭ）を有し、また、互いに相互作用するように、かつ
前記入力装置が前記一次特徴を前記分類装置に送り、
前記分類装置が前記一次特徴を特徴グループに分類する方法であって、前記分類装置が、前記一次特徴内の、前記通信関係に含まれる少なくとも２つの通信相手に関係する特徴を第１の特徴グループに分類し、前記分類装置が、前記一次特徴内の、前記通信関係のフレームワークで送信される少なくとも１つのデータの種類に関係する特徴を第２の特徴グループに分類し、さらに、前記分類装置が、前記一次特徴内の、前記通信関係の１つの考えられる接続の種類に関係する特徴を第３の特徴グループに分類し、
前記分類装置が前記第１、第２、および第３の特徴グループの形の前記一次特徴を前記処理装置に送り、
前記処理装置が前記第１、第２、および第３の特徴グループの形の前記一次特徴を決定マトリックスに入力し、
前記処理装置がこのマトリックスからの出力変数として二次特徴である前記通信関係に必要な特徴を決定する方法で、
前記入力装置と相互作用するように前記入力装置と結合されている分類装置（ＣＰＵ、ＭＥＭ）と処理装置（ＣＰＵ、ＭＥＭ）を有することを特徴とする端末装置。
【請求項９】
通信関係に必要な特徴を決定することができ、かつ、入力装置（ＩＮＴＥＲ）で通信関係の分類に必要な初期値を入力することができるノード（ＮＯＤＥ）であって、
前記ノードが、構成され共に結合される分類装置（ＣＰＵ、ＭＥＭ）と処理装置（ＣＰＵ、ＭＥＭ）を有し、また、互いに相互作用するように、かつ、  前記入力装置が前記一次特徴を前記分類装置に送り、
前記分類装置が前記一次特徴を特徴グループに分類する方法であって、前記分類装置が、前記一次特徴内の、前記通信関係に含まれる少なくとも２つの通信相手に関係する特徴を第１の特徴グループに分類し、前記分類装置が、前記一次特徴内の、前記通信関係のフレームワークで送信される少なくとも１つのデータの種類に関係する特徴を第２の特徴グループに分類し、さらに、前記分類装置が、前記一次特徴内の、前記通信関係の１つの考えられる接続の種類に関係する特徴を第３の特徴グループに分類し、
前記分類装置が前記第１、第２、および第３の特徴グループの形の前記一次特徴を前記処理装置に送り、
前記処理装置が前記第１、第２、および第３の特徴グループの形の前記一次特徴を決定マトリックスに入力し、
前記処理装置がこのマトリックスからの出力変数として二次特徴である前記通信関係に必要な特徴を決定する方法で、
前記入力装置と相互作用するように、前記入力装置と結合されている分類装置（ＣＰＵ、ＭＥＭ）と処理装置（ＣＰＵ、ＭＥＭ）を有することを特徴とするノード。
【請求項１０】
通信関係に必要な特徴を決定することができ、かつ、入力機能単位（ＳＴ１）を介して通信関係の分類に必要な一次特徴を入力することができるプログラムモジュール（ＰＲＧ）であって、
前記プログラムモジュールが、構成され共に結合される分類機能単位（ＳＴ２）と処理機能単位（ＳＴ４、ＳＴ５、ＳＴ６）を有し、また、互いに相互作用をするように、かつ
前記入力機能単位が前記一次特徴を前記分類機能単位に送り、
前記分類機能単位が前記一次特徴を特徴グループに分類する方法であって、前記分類機能単位が、前記一次特徴内の、前記通信関係に含まれる少なくとも２つの通信相手に関係する特徴を第１の特徴グループに分類し、前記分類機能単位が、前記一次特徴内の、前記通信関係のフレームワークで送信される少なくとも１つのデータの種類に関係する特徴を第２の特徴グループに分類し、前記分類機能単位が、前記一次特徴内の、前記通信関係の１つの考えられる接続の種類に関係する特徴を第３の特徴グループに分類し、
前記分類機能単位が前記第１、第２、および第３の特徴グループの形の前記一次特徴を前記処理機能単位に送り、
前記処理機能単位が前記第１、第２、および第３の特徴グループの形の前記一次特徴を決定マトリックスに入力し、
前記処理機能単位がこのマトリックスからの出力変数として第２特徴である前記通信関係に必要な特徴を決定する方法で、
前記入力機能単位と相互作用するように、前記入力機能単位と結合されている分類機能単位（ＳＴ２）と処理機能単位（ＳＴ４、ＳＴ５、ＳＴ６）を有することを特徴とするプログラムモジュール。
【請求項１１】
通信関係に必要な特徴を決定することができ、さらに、通信関係の分類に必要な入力変数として一次特徴を入力装置（ＴＡＲ）にユーザインタフェースから入力することができる電気通信設備のユーザインタフェース（ＵＩ）であって、前記ユーザインタフェースが、構成され共に結合される分類装置と処理装置を有し、互いに相互作用をするように、かつ、
前記入力装置が前記一次特徴を前記分類装置に送り、
前記分類装置が前記一次特徴を特徴グループに分類する方法であって、前記分類装置が、前記一次特徴内の、前記通信関係に含まれる少なくとも２つの通信相手に関係する特徴を第１の特徴グループに分類し、前記分類装置が、前記一次特徴内の、前記通信関係のフレームワークで送信される少なくとも１つのデータの種類に関係する特徴を第２の特徴グループに分類し、前記分類装置が、前記一次特徴内の、前記通信関係の１つの考えられる接続の種類に関係する特徴を第３の特徴グループに分類し、
前記分類装置が前記第１、第２、および第３の特徴グループの形の前記一次特徴を前記処理装置に送り、
前記処理装置が前記第１、第２、および第３の特徴グループの形の前記一次特徴を決定マトリックスに入力し、
前記処理装置がこのマトリックスからの出力変数として二次特徴である前記通信関係に必要な特徴を決定する方法で、
前記入力機能単位と相互作用するように、前記入力装置と結合されている分類装置（ＣＰＵ、ＭＥＭ）と処理装置（ＣＰＵ、ＭＥＭ）を有することを特徴とするユーザインタフェース。
【発明の詳細な説明】
【０００１】
【発明の属する技術分野】
本発明は、請求項１の特徴記載部分に記載の方法、並びに、この目的のための請求項８の特徴記載部分に記載の端末装置、この目的のための請求項９の特徴記載部分に記載のノード、この目的のための請求項１０の特徴記載部分に記載のプログラムモジュール、およびこの目的のための請求項１１の特徴記載部分に記載のユーザインタフェースに関する。
【０００２】
【従来の技術】
通信相手と通信関係を設定しようとする場合、所望の通信関係のために適当な端末を選択しなければならないし、それから通信関係の形成に必要なパラメータをその端末に入力しなければならない。例えば、通信相手との音声接続を望む場合には、電話を選び、通信網の加入者回線に接続するように、所望の通信相手の電話接続の電話番号を入力する。
【０００３】
接続の種類、すなわちコネクション型の接続は、端末装置として電話を選ぶことで加入者により既に指定されている。接続の品質または接続で生じる料金は、いずれの場合にも、接続元または接続先として電話の種類を選択することにより、例えば有線通信網用の電話または移動体通信網用の電話を選択することによって、予め決められている。音声の代わりにファックスメッセージを音声接続で送信するつもりであれば、接続元および接続先として電話ではなくてファックスの送受信に適したファックス機器またはパーソナルコンピュータが使用される。また、この場合には、送信されるデータがパケット型の接続では要求によりまたは偶発的に遅れて送信される場合もあるということを考慮しないで、コネクション型の接続が、端末としてファックス機器を選択することによって作られる。例えば、ファックスの送信が安い料金で行われるなら、偶発的な遅延は容認できるであろう。また、このような遅延の後ではじめて、接続先がファックス受信の用意ができるのであれば、時間遅延はむしろ望ましい。
【０００４】
様々な通信オプションを単一の電気通信設備に統合することによって、そのような１つの電気通信設備から様々な電気通信関係を設定することができるようになる。したがって、例えば、適当なインタフェース装置およびプログラムモジュールを介して、ファックス、電子メール、インターネット通信、および電話会話もできるそのような電気通信設備にパーソナルコンピュータを拡張することができる。しかし、そのようなパーソナルコンピュータの場合でも、通信関係を形成するために、ユーザは前述の様々な通信関係の１つに適したプログラムモジュールを最初に選び、そこで、所望の通信相手のアドレス、例えば加入者番号または電子メールアドレスを指定しなければならない。プログラムモジュールを選ぶことによって、例えばその場合に、ファックスが所望の通信相手に送信されるように設定される。しかし、さらに、通信相手のファックス機器が受信する用意ができていることをパーソナルコンピュータの使用者が知っていなければならない。しかし、例えば、電子メールの方がより有利な代価でできるのであれば、または、通信相手がその時に利用できる通信手段では電子メールだけを受信することができるのであれば、ファックスメッセージを送信する代わりに、電子メールを通信相手に送ることの方が意味があるだろう。さらに、通信相手に届くアドレスを知っていなければならない。通信相手が時間によって違った場所にいるために、１日の時間によって変るなど、届くアドレスがしばしば変るような場合には、ある特定の時間に通信関係を設定できるその関係するアドレスを手元に持っているということが不可能な場合が多い。
【０００５】
【発明が解決しようとする課題】
本発明の目的は、所与の時間に所望の要件に適合する通信関係の特徴を、この特徴に基づいて通信関係を設定することができるように、簡単で便利な方法で決定することであり、または、通信関係が既に存在している場合には、所望の要件に従って通信関係を変更することである。
【０００６】
【課題を解決するための手段】
この目的は請求項１の技術的な教示に従う方法によって、並びに請求項８の技術的な教示に従う端末、請求項９の技術的教示によるノード、請求項１０の技術的教示によるプログラムモジュール、および請求項１１の技術的教示によるユーザインタフェースによって達成することができる。本発明の他の有利な構成は、従属請求項および本説明に見出すことができる。
【０００７】
本発明およびその利点は、図面を使用して例示的な実施形態に基づいて下記に与えられる。
【０００８】
【発明の実施の形態】
図１に、例として図示される本発明の方法に基づく非常に概略な配列を示す。後で電気通信設備の装置および機器に基づいて本発明はより詳細に図示され説明される。入力データＩＮＰＵＴは入力装置ＩＮで検知される。入力装置ＩＮは、例えば、グラフィカルユーザインタフェースまたはキーボードであってもよい。入力データＩＮＰＵＴは、通信関係に必要とされるデータ、例えば所望の通信相手の電話番号または電子メールアドレス、音声データが送信されるという仕様、およびデータが遅延して通信相手に届くことも容認できるという仕様に関する。次に、入力データＩＮＰＵＴは、入力装置ＩＮから分類装置ＳＯＲＴに転送される。これが、入力データＩＮＰＵＴの分類装置ＳＯＲＴへのデータの流れを暗示する矢印で示されている。次に、分類装置ＳＯＲＴは、入力データＩＮＰＵＴをデータのグループに分類し、そこで入力データＩＮＰＵＴの個々の成分が第１データグループＩＮＫＰ、または第２データグループＩＮＤＴ、または第３データグループＩＮＣＴに属することを決定する。グループ分けの過程が、個々のデータグループＩＮＫＰ、ＩＮＤＴおよびＩＮＣＴへの入力データＩＮＰＵＴの経路を示す３つの矢印で図示されている。第１データグループＩＮＫＰには、分類装置ＳＯＲＴの入力データＩＮＰＵＴ内の、通信関係に加わる通信相手に関係する特徴を有する成分が分類される。上の例では、所望通信相手の電話番号および電子メールアドレスが、分類装置ＳＯＲＴによりこの第１データグループＩＮＫＰに分類される。第２データグループＩＮＤＴには、入力データＩＮＰＵＴ内の、通信関係のフレームワークで送信されるデータの種類に関係する成分が、分類装置ＳＯＲＴによって分類される。上の例では、音声データが送信されるという仕様が第２データグループＩＮＤＴに分類される。最後に、分類装置ＳＯＲＴによって、入力データＩＮＰＵＴ内の、所望の通信関係の考えられる接続の種類に関係する成分が第３データグループＩＮＣＴに割当てられる。したがって、例では、データが遅延して通信相手に届くことも容認できるという仕様が割当てられる。
【０００９】
次に、分類装置ＳＯＲＴは、データグループＩＮＫＰ、ＩＮＤＴ、およびＩＮＣＴに分類された入力データＩＮＰＵＴを処理装置ＭＡＴに送る。３つの別個の矢印によって、図１で明らかなことであるが、基準によって３つのデータグループＩＮＫＰ、ＩＮＤＴ、およびＩＮＣＴの１つに分類される３つの前もって分類されたデータの流れで、入力データＩＮＰＵＴは、処理装置ＭＡＴに達する。そのような基準は、例えば、分類装置ＳＯＲＴが、処理装置ＭＡＴに送信する前に、入力データＩＮＰＵＴの個々の成分に付加する修飾子であって、データグループＩＮＫＰ、ＩＮＤＴ、およびＩＮＣＴの１つに属するものとして、そのデータを識別する修飾子であってもよい。
【００１０】
処理装置ＭＡＴは、決定マトリックスの助けを借りて、受取ったデータグループＩＮＫＰ、ＩＮＤＴ、およびＩＮＣＴを出力データＯＵＴＰＵＴに変換する。その出力データＯＵＴＰＵＴは、入力データＩＮＰＵＴで指定される要件を満たす通信関係の特徴を含む。出力データＯＵＴＰＵＴを使って、電気通信設備により所望の電気通信関係が設定される。または、既存の通信関係が変更される。そのような出力データは、例えば、指定された要件を満たすために、電気通信サービスのプロバイダから通信接続が要求されるように、通信相手の電気通信設備の評価能力が限られている結果として送信されるデータが所定のデータフォーマットに変換されるように、および受信電気通信設備で、そのデータに適したデータ受信装置に届くように送信前にこれらのデータに識別子を与えるように、指示することもできる。
【００１１】
決定マトリックスＤＥＣと呼ばれる特に簡単な決定マトリックスの例が図２に図示されている。決定マトリックスＤＥＣの列は、左から右に指標Ｓ１、Ｓ２、Ｓ３、Ｓ４、およびＳ５で表されている。決定マトリックスＤＥＣの行には、出力データＯＵＴＰＵＴはもちろん図１から知られるデータグループＩＮＫ、ＩＮＤＴ、およびＩＮＣＴの名称に関係する参照文字ＲＯＵＴＰＵＴはもちろんのことＲＫＰ、ＲＤＴ、およびＲＣＴが上から下に入れられている。行ＲＫＰ、ＲＤＴ、およびＲＣＴに、以下により詳細に説明される特徴指標が入れられるが、これらの各指標は、図１から知られるデータグループＩＮＫＰ、ＩＮＤＴ、およびＩＮＣＴのデータを持つことのできる特徴を意味している。決定マトリックスＤＥＣの一番下の行は、同様に図１で出力データＯＵＴＰＵＴとして知られるデータが持つ全ての特徴を含む特徴グループを示す。
【００１２】
決定マトリックスの行ＲＫＰには、例として、上記の例から知られる所望の通信相手の電話番号が特徴指標ＡＤＤ１として列Ｓ２、Ｓ４、およびＳ５に入れられ、その電子メールアドレスが特徴指標ＡＤＤ２として列Ｓ３に入れられる。しかし、特徴指標ＡＤＤ１で第１通信相手の名前、特徴指標ＡＤＤ２で第２通信相手の名前を決定マトリックスＤＥＣに入れ、次に決定マトリックスＤＥＣから、特徴指標ＡＤＤ１とＡＤＤ２に関連する電話番号、電子メールアドレス、またはファックス番号を得ることも可能であろう。決定マトリックスＤＥＣの次の下の行ＲＤＴに、送信されるデータの種類が入れられる。例として、列Ｓ２とＳ４に音声データを示す特徴指標ＶＯＩＣＥが、列Ｓ３とＳ５にイメージデータを特徴付ける特徴指標ＰＩＣＴが入れられる。その下の行ＲＣＴは接続可能な所望の通信の種類に関係するものであり、列Ｓ２にデータの直接送信を示す特徴指標ＤＩＲＥＣＴを、列Ｓ３、Ｓ４、およびＳ５にデータ遅延送信の容認を示す特徴指標ＤＥＬＡＹを含む。決定マトリックスＤＥＣの一番下の行ＲＯＵＴＰＵＴは、ＯＵＴ１、ＯＵＴ２、ＯＵＴ３、およびＯＵＴ４の名称の特徴グループを含む。これらの特徴グループは、特定の列に指定される要件を満たす通信関係に必要な全ての特徴を含む。したがって、例えば、特徴グループＯＵＴ１は電話への直接接続を記述し、特徴グループＯＵＴ２は電子メールデータ転送を記述し、特徴グループＯＵＴ３は音声メールボックスへの接続を記述し、特徴グループＯＵＴ４はファックス機器への接続を記述することができる。
【００１３】
図１から知られる処理装置ＭＡＴは、その決定マトリックスとして決定マトリックスＤＥＣを使用するものと以下では想定されている。ここで処理装置ＭＡＴが分類装置ＳＯＲＴによってデータグループＩＮＫＰ、ＩＮＤＴ、およびＩＮＣＴに前もって分類された入力データを含む場合には、処理装置ＭＡＴはこの入力データに含まれる特徴を決定マトリックスＤＥＣの特徴指標の特徴と比較することができる。分類装置ＳＯＲＴは、第１データグループＩＮＫＰの入力データを行ＲＫＰの特徴指標と比較し、第２データグループＩＮＤＴの入力データを行ＲＤＴの特徴指標と比較し、第３データグループＩＮＣＴの入力データを行ＲＣＴの特徴指標と比較する。特定のデータグループＩＮＫＰ、ＩＮＤＴ、およびＩＮＣＴの入力データが、列Ｓ２、Ｓ３、Ｓ４、またはＳ５の１つで、行ＲＫＰ、ＲＤＴ、およびＲＣＴの対応する特徴指標と一致する場合に、処理装置ＭＡＴはこの列に指定されている特徴グループＯＵＴ１、ＯＵＴ２、ＯＵＴ３、またはＯＵＴ４を読み出し、これらの特徴から出力データＯＵＴＰＵＴを形成する。所望の通信相手の加入者番号が第１データグループＩＮＫＰに関する入力データに含まれ、第２データグループＩＮＤＴに関する入力データに音声データが送信されるという仕様が含まれ、第３データグループＩＮＣＴに関する入力データに送信されるデータが遅延して送信されてもよいという許可が含まれている場合には、そこで処理装置ＭＡＴは比較することでこれらの要件が列Ｓ４の特徴指標で満たされると決定する。次に、処理装置ＭＡＴは列Ｓ４で指定される特徴グループＯＵＴ３を読み出し、その特徴から、先に述べたように音声メールボックスへの接続を記述する出力データＯＵＴＰＵＴを生成する。第３データグループＩＮＣＴに関する入力データが、遅延したデータ送信の容認ではなくて、直接の遅延しないデータ送信の命令を含んでいたら、処理装置ＭＡＴは入力データを行ＲＫＰ、ＲＤＴ、およびＲＣＴの特徴指標と比較して、これに基づいて入力データの要件が列Ｓ１の仕様によって満たされると決定し、それで出力データＯＵＴＰＵＴは特徴グループＯＵＴの特徴で形成されただろう。
【００１４】
図２の決定マトリックスＤＥＣは、既に述べたように、理解し易い説明をするための、決定マトリックスの特別に簡単な変形形態である。決定マトリックスの非常に詳細な形態は、特定の要件に従って何時でも形成することができる。
【００１５】
例えば、決定マトリックスＤＥＣの列を追加して拡張し、データグループＩＮＫＰ、ＩＮＤＴ、およびＩＮＣＴの追加の特徴を３部からなるグループに加えて、出力データＯＵＴＰＵＴをそこから引き出すことができる。また、決定マトリックスＤＥＣを個々の「ｉｆ−ｔｈｅｎ」決定ステップを有する判断ツリーに分け、これを、次に例えばコンピュータプログラムに変換することができる。
【００１６】
通信相手のアドレスのほかにその通信相手に利用できる手段で、例えば、様々な送信媒体を使用する手段により、すなわちある種のデータの受信または送信を行うソフトウェアを有することで、通信相手を識別することができる。数人を通信相手に選ぶこともできる。接続の種類は、通信相手が通信のために居合わせなければならないかどうか、すなわちオンラインであるかオフラインであるかを記述する。例えば、会話ではオンラインであり、後で評価するデータではオフラインである。また、接続の種類によって、例えば、一定の送信速度またはある量の中で動的に適応する送信速度を要求することができる。データの種類によって、「有限の」データ（例えば、データファイル）か「無限の」データ（例えば、会話）かを区別することができる。「有限の」および「無限の」の概念で、データファイルの大きさは送信前に既に分かっているが、一方、会話の場合には、一般に持続時間は前もって分からないということを理解できる。様々なファイルフォーマット等の区別は、データの概念の種類で行うことができる。
【００１７】
理解し易いように、分類装置ＳＯＲＴと処理装置ＭＡＴが別々の装置として図１に図示され、その機能が説明されている。しかし、実際には、両装置は結合することができる。例えば、分類装置ＳＯＲＴの機能と処理装置ＭＡＴの機能を行うために必要なコマンドシーケンスが要求される通りに供給されると、データ処理用のプロセッサはそれらの両方を行うことができる。分類装置ＳＯＲＴの機能および処理装置ＭＡＴの機能は、別々のプログラムまたはプログラム機能として用意するのが好ましい。分類装置ＳＯＲＴのプログラム機能で、プロセッサは入力データをデータグループＩＮＫＰ、ＩＮＤＴ、およびＩＮＣＴに前もって分類し、それを前もって分類された形でメモリに書込むことができる。この後で、プロセッサはメモリから前もって分類されたデータを取り出し、さらに処理装置ＭＡＴのプログラム機能を使用して上記の方法でそれを処理することができる。
【００１８】
図３に、通信関係を設定し、維持することのできる本発明による端末ＴＥＲを図示する。端末ＴＥＲは、例えば、純粋な電話通信を超えて広がる付加された通信、例えばインターネットでの通信をも可能な便利な電話機であってもよい。しかし、端末ＴＥＲは、電子メールサービスおよびインターネット通信などの現代的な通信形態はもちろんのこと電話通信およびファックス送信も可能なパーソナルコンピュータであってもよい。端末ＴＥＲのその他の形態も考えられる。例えば、様々な通信ネットワーク、移動電話ネットワークおよび提供される様々な段階のサービスを使用することができる普遍的に応用可能な「パーソナルコミュニケータ」の形態がある。このような「パーソナルコミュニケータ」の広範な可能性は、大抵の場合に加入者が使用し難いものであるが、以下に明らかに示されるように、簡単に、効率よく、さらに有益に利用することができるようになるので、ここで、本発明は非常に有益であることがはっきりと分かる。
【００１９】
端末装置ＴＥＲは、通信インタフェースＣＯＭを有し、これにより、端末ＴＥＲが、例えば図３に示されない追加の通信経路を表す２つの異なる通信経路ＣＯＮＡとＣＯＮＢを活動化することができる。別々の経路として異なる通信経路ＣＯＮＡとＣＯＮＢを示すのは、純粋に説明的な目的のためである。２つの異なる通信媒体を通信経路ＣＯＮＡとＣＯＮＢで、例えば電気通信ネットワークの２つの物理的に離れた加入者回線で示すことは実際に全く可能である一方、同様に１つの同じ媒体上で、例えば１つの加入者回線上で、いくつかの通信形態を交互にまたは同時に実行することができる。例えば、そのような加入者回線で１つのチャネルで電話接続を維持し、同時に別のチャネルで電子メールを送信することができる。例えば、加入者回線がＩＳＤＮ通信ネットワークの１部であれば、これは可能である。
【００２０】
通信インタフェースＣＯＭは制御手段ＣＰＵで制御されている。制御手段ＣＰＵは、通信インタフェースＣＯＭにどのようにして通信経路ＣＯＮＡとＣＯＮＢを選択し、使用するかを指示する。制御手段ＣＰＵは、例えば、図３に図示されるメモリＭＥＭからコマンドシーケンスを受取るプロセッサであってもよい。制御手段ＣＰＵは、データを保管するためにメモリＭＥＭを使用することができる。後で説明するように、制御手段ＣＰＵは処理装置ＭＡＴの機能はもちろんのこと図１から知られる分類装置ＳＯＲＴの機能も両方を行うことができる。
【００２１】
さらに、図１の入力装置ＩＮに機能的に対応する入力装置ＩＮＴＥＲが図３に示されている。したがって、通信関係に必要なデータは、同様にして、入力装置ＩＮＴＥＲで決定される。入力装置ＩＮＴＥＲは、例えば、所望の通信相手の名前または電話番号および通信関係のフレームワークで送信されるデータの種類を示すものとしてのキーストロークシーケンスを入力することができる簡便なキーパッドであってもよい。しかし、たとえば、特に電気通信のための装備がされているパーソナルコンピュータで、または「パーソナルコミュニケータ」で拡張された通信能力が利用できる場合には、入力装置ＩＮＴＥＲは、いわゆるマウスを使用して作動することのできるグラフィカルユーザインタフェースであるのが有利である。簡単化するために、グラフィカルユーザインタフェースとしての入力装置ＩＮＴＥＲの構成形態を以下に純粋な入力インタフェースとして説明する。しかし、当業者には知られていることであるが、グラフィカルユーザインタフェースは、入力手段（例えば、マウスやキーパッド）と出力手段（例えば、モニタまたはディスプレイ）の密に連動した相互作用である。さらに、詳細に図示されていないが、実際には入力手段と出力手段は、制御手段がメモリ（例えば、メモリＭＥＭ）から引き出すコマンドシーケンスの助けを借りて制御手段（例えば、制御手段ＣＰＵ）で制御することができる。したがって、グラフィカルユーザインタフェースは、第１に、独立型の入力装置と考えられるだろう。
【００２２】
そのようなグラフィカルユーザインタフェースの考えられる実施形態が、概略の形態でグラフィカルユーザインタフェースＵＩとして図４に図示されている。図４は、ユーザインタフェースＵＩのグラフィック出力の可能な構成、例えばモニター上に限定して示されている。データを入力する手段（例えば、キーパッドおよびマウス）およびユーザインタフェースを制御する手段（例えば、プロセッサとメモリ）は図４では別々に示されていない。ユーザインタフェースＵＩは、ソースフィールドＳＲＣと目標フィールドＴＡＲで表される２つの主要なフィールドにおおまかに細分することができる。ソースフィールドＳＲＣでは、図１から知られる入力データＩＮＰＵＴの成分部分を表す要素が図示されている。要素Ｋ１とＫ２はそれぞれグラフィック表現であり、したがって、考えられる通信相手の記号またはいわゆるアイコンである。例えば、このような記号は、相手の画像またはグラフィックで表現されたノートの類への記入欄であってもよい。要素Ｋ１とＫ２と共に、ユーザインタフェースＵＩは図４に示されていない追加の要素を有することもできる。それらはそれぞれ追加の通信相手または通信相手に利用することのできる異なる通信の可能性、例えば、移動電話端末を使用する通信の可能性および有線ファックス機器を使用する通信の可能性を表す。さらに、例えば、移動電話端末またはファックス機器とともに、通信相手を表すアイコンとして特定の通信相手の画像をユーザインタフェースＵＩに表示することができる。要素Ｋ１とＫ２およびユーザインタフェースＵＩの未だ説明されていない追加の要素の使用については、後で詳細に説明する。
【００２３】
本発明の非常に効果的な実施形態では、要素Ｋ１とＫ２はフイールドＳＲＣＫＰの中で既に結合されている。そのフイールドＳＲＣＫＰには、通信関係に加わっている通信相手を記号で表し、したがって、図１のデータグループＩＮＫＰに属する要素だけがある。さらに他のフィールドＳＲＣＤＴには、図１で知られるデータグループＩＮＤＴからの入力データを表し、したがって、通信関係のフレームワークの中で送信されるデータの種類を特徴付ける要素が図示されている。
【００２４】
したがって、例えば、要素ＤＴ１は音声データが送信されるという仕様を表し、要素ＤＴ２は送信されるデータファイルの記号であってもよい。必然的に、所望の通信関係の考えられる接続の種類に関係するデータグループＩＮＣＴのデータの記号として働く要素がフィールドＳＲＣＣＴで結合される。要素ＣＴ１は、例えば、メール記号の形で構成することができ、したがって、送信されるデータがオフライン通信で遅れて通信相手に届くことを示す。要素ＣＴ２の助けを借りて、例えば、他方で、音声情報が会話のフレームワークで交換されるために、または、受信データについての即座の肯定応答があったりなかったりするデータ交換シーケンスが要求されるために、通信をオンライン接続で実行しなければならないことを設定することができる。要素ＣＴ２の機能は、例えば電話の画像をその要素に使用することで、ユーザに明らかになる。ソースフィールドＳＲＣをデータグループＩＮＫＰ、ＩＮＤＴ、およびＩＮＣＴと類似したフィールドＳＲＣＫＰ、ＳＲＣＤＴ、およびＳＲＣＣＴに細分割すること、およびこれらのフィールドで要素Ｋ１、Ｋ２、ＤＴ１、ＤＴ２、ＣＴ１、およびＣＴ２を前もって分類することで、ユーザにはっきりした表示を与え、以下に詳細に説明されるように、これによって、ユーザが体系化された方法で入力データＩＮＰＵＴを端末ＴＥＲに入力することができる。この前もっての分類は効果的であるが、強制的なものではない。というのは、前記の要素を体系化されない方法でソースフィールドＳＲＣに分散させることもでき、または他の態様に従って配列することができるからである。例えば、入力データのグループを、それぞれがユーザインタフェースＵＩのユーザによってしばしば使用され、したがって使用のために既に分類して用意されているデータグループＩＮＫＰ、ＩＮＤＴ、およびＩＮＣＴの要素で、ソースフィールドＳＲＣの中に形成することができる。
【００２５】
ソースフィールドＳＲＣから、要素Ｋ１、Ｋ２、ＤＴ１、ＤＴ２、ＣＴ１、およびＣＴ２が選択され、例えば、いわゆる「ドラッグアンドドロップ」のマウス操作の形でマウスを使用して、目標フィールドＴＡＲに運ばれる。このマウス操作では、マウスを使用して要素に印をつけ、目的地に「ドラッグ」し、そこで「ドロップ」する。マウスによるこのような手順は、パーソナルコンピュータのグラフィック指向型オペレーティングシステム（例えばマイクロソフト社のウィンドウズ）の全てのユーザによく知られている。図４の矢印はマウス操作を暗示しており、マウス操作Ｍ１、マウス操作Ｍ２、およびマウス操作Ｍ３を示している。ソースフィールドＳＲＣから、要素Ｋ１またはＫ２をマウス操作Ｍ１で選ぶことができ、要素ＤＴ１とＤＴ２をマウス操作Ｍ２で選ぶことができ、そして要素ＣＴ１とＣＴ２をマウス操作Ｍ３でソースフィールドＳＲＣから選び、かつ目標フィールドＴＡＲにドラッグすることができる。図４に描かれていない追加のフィールドがユーザインタフェースＵＩで可能であり、例えば「削除フィールド」をごみ箱の形のアイコンで認識できるようにすることができる。目標フィールドＴＡＲにある要素の代わりに同じデータグループの別の要素を目標フィールドＴＡＲにドラッグしたいので、目標フィールドＴＡＲから要素を取除きたい場合には、取除くべき要素を目標フィールドＴＡＲから「削除」フィールドにドラッグするだけでよい。
【００２６】
マウス操作Ｍ１、Ｍ２、またはＭ３の１つによって、ユーザは要素Ｋ１、Ｋ２、ＤＴ１、ＤＴ２、ＣＴ１、およびＣＴ２の１つを目標フィールドＴＡＲに運ぶ。次いで、目標フィールドＴＡＲはユーザがこのようにして選んだ３つの要素を検出する。このようにして、通信関係の分類に必要な全ての特徴が規定される。しかし、データグループＩＮＫＰ、ＩＮＤＴ、およびＩＮＣＴから１つよりも多い要素を選ぶこともできる。したがって、例えば、１つの通信相手だけとの通信関係を要求できるだけでなく、２つ以上の通信相手との会議接続を要求することもできる。次に、ユーザは、例えば、フィールドＳＲＣＫＰから要素Ｋ１とＫ２の両方を目標フィールドＴＡＲにドラッグし、これらの要素で記号化される両方の通信相手との同時の通信関係を要求することを信号で伝える。ユーザがソースフィールドＳＲＣからいくつかの要素を選択し、その機能が、例えば、それぞれオンライン通信とオフライン通信を表す要素ＣＴ１とＣＴ２のように、矛盾していて、そのような要素をマウスを使用してドラッグし目標フィールドＴＡＲに入れた場合には、ユーザインタフェースは常に競合する入力の中の最後のものを有効なものとして受入れることができ、または、メッセージで誤りに対するユーザの注意を喚起し、正しい入力を要求することができる。
【００２７】
有利なことに、ユーザインタフェースＵＩは通信関係の分類に必要な全ての要素が目標フィールドＴＡＲに含まれているかどうかを検査してから、ユーザインタフェースＵＩは目標フィールドＴＡＲに含まれる要素で記述される機能の処理を続ける。必要な場合には、ユーザインタフェースＵＩはユーザに足りない要素を入れるように要求し、または、自分で追加の機能を付け加えるが、その付け加える機能は、一般には、ユーザが既に選んでいる機能と結合されるものである。また、ユーザインタフェースＵＩの適当な構成と機能によって、ユーザに、通信関係の分類に必要な全ての要素をソースフィールドＳＲＣから目標フィールドＴＡＲにドラッグするように指示することもできる。このために、目標フィールドＴＡＲを、フィールドＳＲＣＫＰ、ＳＲＣＤＴ、およびＳＲＣＣＴに対応する目標サブフィールドに細分することができる。それで、ユーザが要素をフィールドＳＲＣＫＰ、ＳＲＣＤＴ、ＳＲＣＣＴの１つからの１つの要素を目標フィールドＴＡＲの領域にドラッグし、そこにその要素を置くと、ユーザインタフェースＵＩが、その置かれた要素が出発したフィールドＳＲＣＫＰ、ＳＲＣＤＴ、またはＳＲＣＣＴに対応する特定の目標サブフィールドに直接にその特定の要素を配置するようにする。このようにして、ユーザが目標フィールドＴＡＲを見るときに、どの目標サブフィールドに要素が未だないか、したがって、所望の通信関係の分類に必要な全ての特徴が存在するようにするには、まだどの入力を作らなければならないかが、ユーザに容易に明らかになる。
【００２８】
ユーザが所望の通信関係の分類に必要な全ての特徴を入力したときに、ユーザインタフェースＵＩは入力されたデータの更に進んだ処理を独自に始めることができ、またはユーザがそうするように指示することができる。そのときのユーザの指示は、例えば、ユーザインタフェースＵＩに属するキーパッドのキーを押し下げることで、または、ユーザインタフェースＵＩの「スタートボタン」を「押すこと」によって、すなわち、図４には個々に示されていないユーザインタフェースＵＩのフィールドをマウスクリックで選択し活動化することによって行われる。それ自身の制御手段またはそれ自身のメモリを使用して、ユーザインタフェースＵＩは図１から知られる分類装置ＳＯＲＴの機能および処理装置ＭＡＴの機能を実行することができる。つぎに、ユーザインタフェースＵＩは入力データをデータグループＩＮＫＰ、ＩＮＤＴ、およびＩＮＣＴに分類し、このようにして前もって分類された入力データを決定マトリックスに入れ、このようにして決定マトリックスから出力データを取り出す。ユーザインタフェースＵＩは、この出力データを電気通信設備に送る。出力データに基づいて、電気通信設備は、ユーザインタフェースＵＩでユーザが規定した通信関係を作り出すことができ、または既存の通信関係を変更することができる。
【００２９】
しかし、ユーザインタフェースＵＩが入力装置ＩＮＴＥＲの１部、したがって端末ＴＥＲの１部である限りでは、ユーザインタフェースＵＩはユーザの入力した入力データを目標フィールドから更に進んだ処理のために、直接、端末ＴＥＲの装置に転送することができる。そのとき、ユーザインタフェースが分類装置ＳＯＲＴおよび処理装置ＭＡＴ自身の機能を実行する必要はなく、これらの機能を端末ＴＥＲの装置に移すことができる。そのような進んだ動作は、図３を参照して以下のように実行することができる。
【００３０】
入力装置ＩＮＴＥＲが通信関係の分類に必要な全ての特徴を入力データとして決定した後で、入力装置ＩＮＴＥＲは、更に進んだ処理のためにこの入力データを制御手段ＣＰＵに送る。制御手段ＣＰＵはメモリＭＥＭから様々なコマンドシーケンスをロードし、その命令に従って制御手段ＣＰＵがさらに入力データを処理する。図１に関連して既に説明したように、制御手段ＣＰＵは入力データをデータグループＩＮＫＰ、ＩＮＤＴ、およびＩＮＣＴに分類する。これは、例えば、制御手段ＣＰＵが、特定のデータグループに属するものとしてデータを分類するメモリＭＥＭに格納されている特徴と入力データを比較して行う。制御手段ＣＰＵはデータグループに従って分類されたデータを決定マトリックスに、例えば図２から知られる決定マトリックスＤＥＣに入力し、ユーザが望む通信関係に要求される特徴を決定する。これらの特徴を使用して、つぎに、制御手段ＣＰＵは通信経路ＣＯＮＡとＣＯＮＢのどちらがユーザの要件に一致するかを決定し、その結果によって、通信経路ＣＯＮＡかＣＯＮＢを優先するように通信インタフェースＣＯＭに命令する。図３では、例えば、通信経路ＣＯＮＢが通信インタフェースＣＯＭによって、したがって端末ＴＥＲによって使用される。それで、通信経路ＣＯＮＢは切れていない線で表されている。
【００３１】
また、本発明は、適当な通信関係を作り出すためだけでなく、既存の通信関係を変更するために使用する際に、効果的である。
【００３２】
一般的な条件を変える場合には、例えば、１つの同じ通信相手に音声接続に続いて電子メールの送信をする場合には、端末ＴＥＲは、既に音声の送信に使用されている通信関係を電子メール送信の要件に適応させる。このために、所望の電子メール送信の分類に要求される特徴が、音声送信中でも入力装置ＩＮＴＥＲを使用して端末ＴＥＲで決定される。端末ＴＥＲ、もっとはっきり言えば制御手段ＣＰＵが既に説明された方法で新しい入力データをデータグループＩＮＫＰ、ＩＮＤＴ、およびＩＮＣＴに分類し、次に決定マトリックスを使用して、電子メールの送信に適している通信関係を再構築するための出力特徴を取り出す。音声送信の完了後に、次いで、制御手段ＣＰＵは通信インタフェースＣＯＭに命令して電子メール送信のために検出された出力特徴に従って既存の通信関係を変更させる。このために、通信インタフェースＣＯＭは、電気通信設備に、例えば識別子を送信する。その識別子によって、送信される次のデータは音声データではなくて電子メールを含むので、電気通信設備の中の音声データとは違ったデータ受信装置に届くべきであるということを電気通信設備が認識できる。
【００３３】
通信関係に必要な特徴の入力装置ＩＮＴＥＲへの上記の入力とともに、ユーザが２つの端末の１つに通信関係を形成するように命令しないでも、そのような特徴が端末ＴＥＲと同じ種類の相手の端末の間で交換される。例えば、端末は、新しく導入されたソフトウェアを使用して、過去には評価できなかった追加の種類のデータを受信する用意ができているということを他方の端末に伝えることができる。このメッセージを受信した端末は、例えば、入力変数のある組合せで、その決定マトリックスによって出力される出力変数を変更することができる。例えば、相手端末の過去のソフトウェア状態に基づいて、相手端末にデータを送信する前にデータの変換が必要であった場合には、新しいソフトウェア状態によって、そのような変換は省略することができる。
【００３４】
図５に、電気通信網で利用されるノードＮＯＤＥが図示されている。機能および動作のモードを簡単に表現するために、ノードＮＯＤＥは、図３の端末ＴＥＲから既に原理的に知られている基本的な構成要素、特にメモリＭＥＭ、制御手段ＣＰＵおよび通信インタフェースＣＯＭを有している。実際に、メモリＭＥＭおよび制御手段ＣＰＵは、端末ＴＥＲの構成要素としてよりもノードＮＯＤＥの構成要素として大きな容量を持っている。通信インタフェースＣＯＭはノードＮＯＤＥで、図示されていない端末またはノードに通じている通信経路ＣＯＮＳＲＣによって拡張されている。通信インタフェースＣＯＭは通信経路ＣＯＮＳＲＣを通信経路ＣＯＮＡまたはＣＯＮＢに交互になる方法でまたは同時に接続することができる。通信インタフェースＣＯＭは、例えば、スイッチングマトリックスであってもよい。通信接続ＣＯＮＳＲＣ、ＣＯＮＡ、およびＣＯＮＢは、例えば、図５に示されていない追加の通信接続を表す。図３に関連して既に説明したように、通信経路ＣＯＮＳＲＣはもちろんのこと通信接続ＣＯＮＡとＣＯＮＢは例示的な表現であり、様々な物理的な経路を表すことができ、また様々な通信形態を表すことができる。端末ＴＥＲとは対照的に、ノードＮＯＤＥは、独立して構成された入力装置ＩＮＴＥＲを持たない。この代わりに、通信関係の分類に必要な特徴が、通信インタフェースＣＯＭに至る通信経路ＣＯＮＳＲＣ、例えば端末またはノードによって入力データの形でノードＮＯＤＥに送られ、そこから、さらに制御手段ＣＰＵに転送される。そのとき、通信インタフェースＣＯＭと制御手段ＣＰＵは一緒になって入力装置ＩＮＴＥＲに匹敵する機能、すなわち、要求される入力データの決定を実行する。端末は、この場合には、入力データを検出するための単なるインタフェース装置として働き、そのためには、例えば端末のキーパッドまたはユーザインタフェースが利用される。
【００３５】
入力データを介して、ノードＮＯＤＥに命令して、通信経路ＣＯＮＳＲＣから外に出て行く通信関係を生成させ、またはそこから出て行く既存の通信関係を変更させる。制御手段ＣＰＵは、メモリＭＥＭからロードされるコマンドシーケンスからの命令に従って受取った入力データをデータグループＩＮＫＰ、ＩＮＤＴ、およびＩＮＣＴに分類し、制御手段ＣＰＵが前もって分類した入力データをロードするメモリから決定マトリックスをロードする。この決定マトリックスからの出力データとして、制御手段ＣＰＵは、通信経路ＣＯＮＳＲＣから外に出て行く通信関係を設定するためにまたは変更するために必要なデータを取り出す。このようにして決定された出力データに従って、制御手段ＣＰＵは通信インタフェースＣＯＭに命じて、例えば、通信経路ＣＯＮＳＲＣを通信経路ＣＯＮＢに接続させる。
【００３６】
既に説明したように、図３および図５から知られる制御手段ＣＰＵによる図１の分類装置ＳＯＲＴおよび処理装置ＭＡＴの機能は、コマンドシーケンスをロードし実行することによりメモリＭＥＭと協働して実施される。しかし、本発明を実施するために制御手段が読み出して実行することができるメモリに格納されるコマンドシーケンスによって、制御手段ＣＰＵに匹敵する制御手段とメモリＭＥＭに匹敵するメモリを有する電気通信設備をアップグレードすることもできる。これらのコマンドシーケンスは、通常プログラミング言語、例えば高レベル言語「Ｃ」または目的プログラミング言語「Ｃ＋＋」、で符号化され、制御手段が読み出し実行することのできる機械語にコンパイルされる。本発明によるプログラムモジュールが個々の機能単位に分割される場合には、後で説明するように、これらの機能単位は、プログラムモジュールの実行中に個々の機能単位間の遷移および分岐（いわゆるプログラム飛越し）を制御手段が理解できるように、いわゆる「リンク」でコンパイルした後で一緒に接続される。制御手段は、例として、パーソナルコンピュータまたは電気通信設備のプロセッサである。プログラムモジュールは、メモリに格納されて、コマンドシーケンスを実行するために制御手段で読み出されてもよい。メモリは、例として、磁気メモリ、例えばディスケットまたはハードドライブでもよく、または電子メモリ、例えば電気通信設備でよく使用されているＥＥＰＲＯＭ（電気的に消去可能なプログラム可能読取り専用記憶装置）でもよい。そのようなプログラムモジュールの例が図６にプログラムモジュールＰＲＧとして示されている。プログラムモジュールＰＲＧについての下記の説明では、プログラムモジュールＰＲＧは電気通信設備のメモリに格納されていて、その電気通信設備の制御手段によって実行されるものと想定されている。
【００３７】
容易に理解できるように表現するために、プログラムモジュールＰＲＧは個々のステップが実行されるフローチャートの形で図６に図示されている。個々のステップそれぞれは１つのコマンド、または一連のコマンドを表し、その各々が機能単位（いわゆる機能）を構成する。この機能的な区切りは現実的であるが、絶対的に必要なものではない。プログラムモジュールＰＲＧは通信関係の形成または変更のための重ね合わせられたプログラムの単一機能として働く。
【００３８】
スタートフィールドから始まって、ステップＳＴ１でプログラムモジュールは、通信関係の分類に必要な入力データを集める。この目的のために、図６に示されていない入力手段と出力手段がステップＳＴ１の命令に従って制御手段によりトリガされる。ステップＳＴ１の命令は入力機能単位、例えばサブプログラムに統合される。このようにして集められた入力データは、ステップＳＴ２で図１で知られるデータグループＩＮＫＰ、ＩＮＤＴ、およびＩＮＣＴに分類される。ステップＳＴ２の命令は分類機能単位、例えば同じようにプログラム機能にバンドルされる。これに続いて、オプションのステップＳＴ３で、各々のデータグループＩＮＫＰ、ＩＮＤＴ、およびＩＮＣＴの入力データが集められたかどうかが検査される。入力データが欠けている場合には、プログラムは分岐してステップＳＴ１に戻る。ステップＳＴ３がプログラムモジュールに含まれていない場合には、ステップＳＴ１で入力機能単位が入力データをそのような形態の入力手段の１つに提供することができる。このために、入力データの完全な組だけが一度に入力に提供されるように入力手段を構成することができ、ユーザは完全な組としてだけ入力手段に入力することができる。入力データの完全な組が、データグループＩＮＫＰ、ＩＮＤＴ、およびＩＮＣＴの各々からの入力事項を含み、または、電気通信設備、例えば図５に示されるノードＮＯＤＥが第２通信装置から入力データの完全な組を受取る。その入力データの完全な組について、第２の電気通信設備はデータグループＩＮＫＰ、ＩＮＤＴ、およびＩＮＣＴからの入力事項が完全な組で含まれていることをその都度確かめなければならない。ステップＳＴ３を省略するさらに他の可能性は、ステップＳＴ１で、データグループＩＮＫＰ、ＩＮＤＴ、およびＩＮＣＴの各々から１つの入力データが、入力機能単位によってデフォルト値として供給され、ステップＳＴ２で、そのデフォルト値が、適当な所望の入力データで重ね書きすることで、ユーザによって任意選択して変えられることができるが、そのまま受入れられることもできる場合である。
【００３９】
ステップＳＴ３の後、前もって分類された入力データはステップＳＴ４で決定マトリックスに入力される。この決定マトリックスは、「ｉｆ−ｔｈｅｎ」決定ステップとしてステップＳＴ４のコマンドシーケンスに合体することができるが、また、独立したデータ構造として電気通信設備のメモリに格納することもできる。次に、ステップＳＴ５で、ステップＳＴ１の入力ごとに要求される通信関係を特徴付ける決定マトリックスから出力値が決定される。図６では、ステップＳＴ３、ＳＴ４、およびＳＴ５は、理解しやすいように個別のステップとして表されているが、これらのステップからは分岐は必要でないので容易に１つの処理機能単位に結合することができる。
【００４０】
ステップＳＴ５で決定された出力値は、オプションのステップＳＴ６で、例えば図６に示されていない追加のプログラムモジュールに出力され、その出力によって、追加のコマンドシーケンスの助けをかりて所望の通信関係が設定される。しかし、ステップＳＴ６を省略して、ステップＳＴ５ですでに、決定された出力値が決定マトリックスから出力されないで、決定された出力値を示す指標だけが電気通信設備のメモリに格納されることもできる。この最後の変形形態は、決定マトリックスがステップＳＴ４のコマンドシーケンスに合体されないで、独立したデータ構造としてメモリに格納される場合に、特に容易に実現できる。次に、例えば、プログラムモジュールＰＲＧと呼ばれる電気通信設備の重ね合わされた制御プログラムが指標を読み出し、このようにして決定マトリックスの記憶領域の中の確認された出力値を含むその記憶域にアクセスすることができる。ステップＳＴ６に続くステップＥＮＤで、プログラムモジュールのシーケンスは終わる。
【図面の簡単な説明】
【図１】入力装置ＩＮ、分類装置ＳＯＲＴおよび処理装置ＭＡＴを有する本発明による方法を実施する非常に概略な配列を示す図である。
【図２】本発明による方法の応用に利用される決定マトリックスＤＥＣを示す図である。
【図３】入力装置ＩＮＴＥＲ、制御手段ＣＰＵ、メモリＭＥＭ、および通信経路ＣＯＮＡまたは通信経路ＣＯＮＢを活動化することができる通信インタフェースＣＯＭを含む本発明による端末ＴＥＲを示す図である。
【図４】本発明によるユーザインタフェースＵＩを示す図である。
【図５】制御手段ＣＰＵ、メモリＭＥＭ、および通信経路ＣＯＮＳＲＣ、通信経路ＣＯＮＡおよび通信経路ＣＯＮＢをそれぞれ他のものと接続することができる通信インタフェースＣＯＭを含む本発明によるノードＮＯＤＥを示す図である。
【図６】本発明によるプログラムモジュールＰＲＧを示す図である。
【符号の説明】
ＩＮ、ＩＮＴＥＲ  入力装置
ＩＮＰＵＴ  入力データ
ＳＯＲＴ  分類装置
ＩＮＫＰ  第１データグループ
ＩＮＤＴ  第２データグループ
ＩＮＣＴ  第３データグループ
ＭＡＴ  処理装置
ＯＵＴＰＵＴ  出力データ
ＤＥＣ  決定マトリックス
ＴＥＲ  端末装置
ＭＥＭ  メモリ
ＣＰＵ  制御手段
ＣＯＭ  通信インタフェース
ＣＯＮＡ、ＣＯＮＢ  通信経路
ＵＩ  グラフィカルユーザインタフェース
ＳＲＣ  ソースフィールド
ＳＲＣＫＰ、ＳＲＣＤＴ、ＳＲＣＣＴ  フィールド
Ｋ１、Ｋ２、ＤＴ１、ＤＴ２、ＣＴ１、ＣＴ２  要素
Ｍ１、Ｍ２、Ｍ３  マウス操作
ＴＡＲ  目標フィールド
ＣＯＮＳＲＣ  通信経路
ＮＯＤＥ  ノード
【図１】
0004066217.tif 000002
【図２】
0004066217.tif 000003
【図３】
0004066217.tif 000004
【図４】
0004066217.tif 000005
【図５】
0004066217.tif 000006
【図６】
0004066217.tif 000007